【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
表示部を備え、各々放射線画像の撮影に関する制御を行う、少なくとも１つが選択的に使用される複数の制御装置と、
撮影によって得られた複数の放射線画像の画像データを自装置に一体化された記憶部に記憶するメモリモードを含む、放射線画像の撮影に関して予め定められた複数の撮影モードの中から選択された１つの撮影モードにより放射線画像を撮影する放射線画像撮影装置と、
前記放射線画像撮影装置の前記撮影モードが前記メモリモードの場合、選択的に使用される制御装置である使用制御装置を１つの携帯型の制御装置とし、前記使用制御装置が前記携帯型の制御装置を含む複数の制御装置である場合に前記携帯型の制御装置が備える前記表示部に表示させるための第１の表示内容よりも相対的に情報量が多い第２の表示内容を、前記表示部に表示させるための制御内容を前記携帯型の制御装置に対して設定する設定部と、
を備えた放射線画像撮影システム。
【請求項２】
前記複数の制御装置の各々は、表示能力が互いに異なる表示部を備え、
前記設定部は、前記使用制御装置が複数の場合には、前記複数の使用制御装置のうち、表示能力が相対的に低い表示部を備えた使用制御装置の前記表示部に表示される表示内容が、前記使用制御装置が１つの場合の表示部に表示される表示内容よりも少なくなる制御内容を設定する、
請求項１に記載の放射線画像撮影システム。
【請求項３】
前記使用制御装置が複数の場合に、予め定められた使用制御装置の前記表示部に表示される表示内容のうち、他の使用制御装置の表示部に表示されている表示内容と重複する表示内容は、他の表示内容より目立たなく表示させる制御を行う制御部をさらに備えた、
請求項１または請求項２に記載の放射線画像撮影システム。
【請求項４】
前記設定部は、前記使用制御装置が複数の場合に、複数の前記使用制御装置のうち、放射線画像の撮影を行う撮影室内で使用される使用制御装置には、前記撮影室内で表示することが予め定められた表示内容を設定する、
請求項１から請求項３のいずれか１項に記載の放射線画像撮影システム。
【請求項５】
前記使用制御装置が複数の場合に、複数の前記使用制御装置のうち少なくとも１つの使用制御装置の表示部に表示させる表示内容の指示を受け付ける表示内容受付部をさらに備え、
前記設定部は、前記表示内容受付部が受け付けた表示内容を、前記少なくとも１つの使用制御装置に設定する、
請求項１から請求項４のいずれか１項に記載の放射線画像撮影システム。
【請求項６】
前記設定部は、前記使用制御装置が、複数の相互に通信可能な制御装置の場合に、前記使用制御装置の組み合わせに応じた制御内容を前記使用制御装置の各々に設定する、
請求項１から請求項５のいずれか１項に記載の放射線画像撮影システム。
【請求項７】
前記制御内容を受け付ける制御内容受付部をさらに備え、
前記設定部は、前記制御内容受付部が受け付けた制御内容を、前記使用制御装置に設定する、
請求項１から請求項５のいずれか１項に記載の放射線画像撮影システム。
【請求項８】
前記設定部は、前記使用制御装置が複数の場合に、前記複数の使用制御装置のうち、少なくとも１つの使用制御装置に備えられている、
請求項１から請求項７のいずれか１項に記載の放射線画像撮影システム。
【請求項９】
前記携帯型の制御装置は、自装置の駆動に用いる電源を供給するバッテリを内蔵する、
請求項１から請求項８のいずれか１項に記載の放射線画像撮影システム。
【請求項１０】
撮影によって得られた複数の放射線画像の画像データを自装置に一体化された記憶部に記憶するメモリモードを含む、放射線画像の撮影に関して予め定められた複数の撮影モードの中から選択された１つの撮影モードにより放射線画像を撮影する放射線画像撮影装置と、表示部を備え、各々放射線画像の撮影に関する制御を行う、少なくとも１つが選択的に使用される複数の制御装置を備えた放射線画像撮影システムの制御方法であって、
前記放射線画像撮影装置の前記撮影モードが前記メモリモードの場合、選択的に使用される制御装置である使用制御装置を１つの携帯型の制御装置とし、
前記使用制御装置が前記携帯型の制御装置を含む複数の制御装置である場合に前記携帯型の制御装置が備える前記表示部に表示させるための第１の表示内容よりも相対的に情報量が多い第２の表示内容を、前記表示部に表示させるための制御内容を前記携帯型の制御装置に対して設定する、
ことを含む処理をコンピュータに実行させるための放射線画像撮影システムの制御方法。
【請求項１１】
撮影によって得られた複数の放射線画像の画像データを自装置に一体化された記憶部に記憶するメモリモードを含む、放射線画像の撮影に関して予め定められた複数の撮影モードの中から選択された１つの撮影モードにより放射線画像を撮影する放射線画像撮影装置と、表示部を備え、各々放射線画像の撮影に関する制御を行う、少なくとも１つが選択的に使用される複数の制御装置を備えた放射線画像撮影システムの制御プログラムであって、
前記放射線画像撮影装置の前記撮影モードが前記メモリモードの場合、選択的に使用される制御装置である使用制御装置を１つの携帯型の制御装置とし、
前記使用制御装置が前記携帯型の制御装置を含む複数の制御装置である場合に前記携帯型の制御装置が備える前記表示部に表示させるための第１の表示内容よりも相対的に情報量が多い第２の表示内容を、前記表示部に表示させるための制御内容を前記携帯型の制御装置に対して設定する、
ことを含む処理をコンピュータに実行させるための放射線画像撮影システムの制御プログラム。
【手続補正２】
【補正対象書類名】明細書
【補正対象項目名】０００７
【補正方法】変更
【補正の内容】
【０００７】
上記課題を解決するため、本発明の一態様に係る放射線画像撮影システムは、表示部を備え、各々放射線画像の撮影に関する制御を行う、少なくとも１つが選択的に使用される複数の制御装置と、撮影によって得られた複数の放射線画像の画像データを自装置に一体化された記憶部に記憶するメモリモードを含む、放射線画像の撮影に関して予め定められた複数の撮影モードの中から選択された１つの撮影モードにより放射線画像を撮影する放射線画像撮影装置と、放射線画像撮影装置の撮影モードがメモリモードの場合、選択的に使用される制御装置である使用制御装置を１つの携帯型の制御装置とし、使用制御装置が携帯型の制御装置を含む複数の制御装置である場合に携帯型の制御装置が備える表示部に表示させるための第１の表示内容よりも相対的に情報量が多い第２の表示内容を、表示部に表示させるための制御内容を携帯型の制御装置に対して設定する設定部と、を備える
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】変更
【補正の内容】
【００２４】
本発明の一態様に係る放射線画像撮影システムの制御方法は、撮影によって得られた複数の放射線画像の画像データを自装置に一体化された記憶部に記憶するメモリモードを含む、放射線画像の撮影に関して予め定められた複数の撮影モードの中から選択された１つの撮影モードにより放射線画像を撮影する放射線画像撮影装置と、表示部を備え、各々放射線画像の撮影に関する制御を行う、少なくとも１つが選択的に使用される複数の制御装置を備えた放射線画像撮影システムの制御方法であって、放射線画像撮影装置の撮影モードがメモリモードの場合、選択的に使用される制御装置である使用制御装置を１つの携帯型の制御装置とし、使用制御装置が携帯型の制御装置を含む複数の制御装置である場合に携帯型の制御装置が備える表示部に表示させるための第１の表示内容よりも相対的に情報量が多い第２の表示内容を、表示部に表示させるための制御内容を携帯型の制御装置に対して設定する、ことを含む処理をコンピュータに実行させるためのものである。
【手続補正１２】
【補正対象書類名】明細書
【補正対象項目名】００２５
【補正方法】変更
【補正の内容】
【００２５】
本発明の一態様に係る放射線画像撮影システムの制御プログラムは、撮影によって得られた複数の放射線画像の画像データを自装置に一体化された記憶部に記憶するメモリモードを含む、放射線画像の撮影に関して予め定められた複数の撮影モードの中から選択された１つの撮影モードにより放射線画像を撮影する放射線画像撮影装置と、表示部を備え、各々放射線画像の撮影に関する制御を行う、少なくとも１つが選択的に使用される複数の制御装置を備えた放射線画像撮影システムの制御プログラムであって、放射線画像撮影装置の撮影モードがメモリモードの場合、選択的に使用される制御装置である使用制御装置を１つの携帯型の制御装置とし、使用制御装置が携帯型の制御装置を含む複数の制御装置である場合に携帯型の制御装置が備える表示部に表示させるための第１の表示内容よりも相対的に情報量が多い第２の表示内容を、表示部に表示させるための制御内容を携帯型の制御装置に対して設定する、ことを含む処理をコンピュータに実行させるためのものである。